(57)【要約】【課題】従来、ＲＣ造においては梁が強度的に弱く構築されることが多く、タワークレーンを設置するためには該タワークレーンの基盤を大きくして荷重を分散して集中荷重を小さくする工夫がなされている。しかし、梁が極端に弱い場合には上記手段によっても積載荷重のオーバーにより設置が困難なことが生じ該梁の補強が必要となる。又、Ｓ造においても上記同様に梁が強度的に弱い場合相当な補強を必要とする。更に、その補強部分は、後に撤去する場合が多く余分な部材の調達と無駄な施工を余儀なくされているが、本発明はこの様な問題点を解決するものである。【解決手段】本発明は、上記課題を解決したもので、タワークレーンの架台を支持する支持装置において、建物の躯体となる垂直部材表面にＰＣ鋼棒によりブラケットを固定し、該ブラケットに架台を支持させてなるタワークレーンの支持装置を特徴とする。【選択図】図２（ａ）
2005272116.tif 000002
【特許請求の範囲】
【請求項１】
タワークレーンの架台を支持する支持装置において、建物の躯体となる垂直部材表面にＰＣ鋼棒によりブラケットを固定し、該ブラケットに架台を支持させてなることを特徴とするタワークレーンの支持装置。
【請求項２】
ブラケットの上面に架台を固定したことを特徴とする請求項１に記載のタワークレーンの支持装置。
【請求項３】
ブラケットの上面に建物の躯体となる梁を介して架台を固定したことを特徴とする請求項１に記載のタワークレーンの支持装置。
【請求項４】
ブラケットの側端部に架台を固定したことを特徴とする請求項１に記載のタワークレーンの支持装置。
【請求項５】
垂直部材は、柱部材又は壁部材であることを特徴とする請求項１ないし４のいずれか１に記載のタワークレーンの支持装置。
【請求項６】
タワークレーンの架台を支持する支持装置の構築方法において、ブラケットの取付板を建物の躯体となる垂直部材に配設し、該垂直部材の反対側に配設した取付板とＰＣ鋼棒で連結し、該ＰＣ鋼棒を引張固定することによりブラケットを該垂直部材に固定し、該ブラケットの上部或いは側端部に架台を固定したことを特徴とするタワークレーンの支持装置の構築方法。
【請求項７】
タワークレーンの架台を支持する支持装置の構築方法において、建物の躯体となる垂直部材に予めインサートを埋設し、該垂直部材の表面にブラケットの取付板を配設し、該取付板の孔よりインサートへボルトを挿通して該ブラケットを仮止めし、その後、ＰＣ鋼棒を垂直部材の反対側の取付板と連結引張して固定することによりブラケットを該垂直部材に固定し、該ブラケットの上部或いは側端部に架台を固定したことを特徴とするタワークレーンの支持装置の構築方法。
【請求項８】
タワークレーンの架台を支持する支持装置の構築方法において、ブラケットの取付板を建物の躯体となる垂直部材に配設し、該垂直部材の反対側に配設した取付板とＰＣ鋼棒で連結し、該ＰＣ鋼棒を引張して固定することによりブラケットを該垂直部材に固定し、該ブラケットを建物の梁と一体とし、該梁或いはブラケット上に架台を固定したことを特徴とするタワークレーンの支持装置の構築方法。
【請求項９】
タワークレーンの架台を支持する支持装置の構築方法において、建物の躯体となる垂直部材に予めインサートを埋設し、該垂直部材の表面にブラケットの取付板を配設し、該取付板の孔よりインサートへボルトを挿通して該ブラケットを仮止めし、その後、ＰＣ鋼棒を垂直部材の反対側の取付板と連結引張して固定することによりブラケットを該垂直部材に固定し、該ブラケットを建物の梁と一体とし、該梁或いはブラケット上に架台を固定したことを特徴とするタワークレーンの支持装置の構築方法。
【請求項１０】
建物の躯体となる垂直部材は、柱部材又は壁部材であることを特徴とする請求項６ないし９のいずれか１に記載のタワークレーンの支持装置の構築方法。
【発明の詳細な説明】
【技術分野】
【０００１】
本発明は、昇降機能付タワークレーンの架台を、建物の躯体で支持する支持装置及びその支持装置の構築方法に関する。
【背景技術】
【０００２】
従来の昇降機能付クライミングタワークレーン（以下タワークレーンという）において、そのマスト部を支持する架台は建物の躯体を利用して支持しているが、支持手段は架台を梁部材に載置して支持している。しかし、昨今の超高層ＲＣ建築物では、柱及び梁部材は施工期間を短縮させるため予め工場で製造するＰＣａ化され、且つ強固な壁やコア壁を設けたものは梁の断面の大きさは小さくされ、スレンダー化されている。従って、建物の全体構造としては何等問題はないが、小さな梁にクレーン架台をそのまま支持させることは不可能となっている。
【０００３】
上記のような場合、クレーン架台が載る梁自体を予め強固に設計する対策が採用されている。
【特許文献１】特開平６−１５６９８２号公報
【特許文献２】特許第２９４２０５４号
【特許文献３】特開平１１−３０１９７３号公報  上記特許文献１は、柱に顎を取り付け、該顎で架台を支持しながら尺取虫のようにタワークレーンを順次上方へ上げていく施工方法である。  また、特許文献２は、柱にブラケットを仮設し、該ブラケット上に走行クレーンのレールを敷設し、該走行クレーンの荷重を柱で受ける支持手段が開示されている。更に、特許文献３は、壁に埋設された鉄骨柱に顎を取り付け、該顎の上に架台を設置している。この支持手段も上記同様、尺取虫のように少しずつクレーンを上昇させていくものである。
【発明の開示】
【発明が解決しようとする課題】
【０００４】
上記のように、ＲＣ造においては、梁が強度的に弱く構築されることが多く、タワークレーンを設置するためには該タワークレーンの基盤を大きくして荷重を分散して、集中荷重を小さくする工夫がなされている。しかし、梁が極端に弱い場合には、上記手段によっても積載荷重のオーバーにより設置が困難なことが生じ、該梁の補強が必要となる。
また、Ｓ造においても、上記同様に梁が強度的に弱い場合、相当な補強を必要とする。更に、その補強部分は、後に撤去する場合が多く、余分な部材の調達と無駄な施工を余儀なくされていた。
【０００５】
更に、上記特許文献のように、柱にブラケットを取り付け、該ブラケットに架台を設けてタワークレーンを支持する施工方法は知られているが、いずれのものも尺取虫のようにしてタワークレーンを上方へ移動させることをその対象としているものであり、架台にかかる荷重をすみやかに柱部材や壁部材等の垂直部材へ移動させることを意図するものではなかった。
また、該垂直部材とブラケットの取付構造及びその施工方法については開示も示唆もされていなかった。
【課題を解決するための手段】
【０００６】
本発明は、上記課題を解決したもので、タワークレーンの架台を支持する支持装置において、建物の躯体となる垂直部材表面にＰＣ鋼棒によりブラケットを固定し、該ブラケットに架台を支持させてなるタワークレーンの支持装置を特徴とする。
【０００７】
また、上記ブラケットの上面に架台を固定したタワークレーンの支持装置を特徴とする。
【０００８】
更に、上記ブラケットの上面に建物の躯体となる梁を介して架台を固定したタワークレーンの支持装置を特徴とする。
【０００９】
また、上記ブラケットの側端部に架台を固定したタワークレーンの支持装置を特徴とする。
【００１０】
更に、上記垂直部材は、柱部材又は壁部材であるタワークレーンの支持装置を特徴とする。
【００１１】
また、タワークレーンの架台を支持する支持装置の構築方法において、ブラケットの取付板を建物の躯体となる垂直部材に配設し、該垂直部材の反対側に配設した取付板とＰＣ鋼棒で連結し、該ＰＣ鋼棒を引張固定することによりブラケットを該垂直部材に固定し、該ブラケットの上部或いは側端部に架台を固定したタワークレーンの支持装置の構築方法を特徴とする。
【００１２】
更に、タワークレーンの架台を支持する支持装置の構築方法において、建物の躯体となる垂直部材に予めインサートを埋設し、該垂直部材の表面にブラケットの取付板を配設し、該取付板の孔よりインサートへボルトを挿通して該ブラケットを仮止めし、その後、ＰＣ鋼棒を垂直部材の反対側の取付板と連結引張して固定することによりブラケットを該垂直部材に固定し、該ブラケットの上部或いは側端部に架台を固定したタワークレーンの支持装置の構築方法を特徴とする。
【００１３】
また、タワークレーンの架台を支持する支持装置の構築方法において、ブラケットの取付板を建物の躯体となる垂直部材に配設し、該垂直部材の反対側に配設した取付板とＰＣ鋼棒で連結し、該ＰＣ鋼棒を引張して固定することによりブラケットを該垂直部材に固定し、該ブラケットを建物の梁と一体とし、該梁或いはブラケット上に架台を固定したタワークレーンの支持装置の構築方法を特徴とする。
【００１４】
更に、タワークレーンの架台を支持する支持装置の構築方法において、建物の躯体となる垂直部材に予めインサートを埋設し、垂直部材の表面にブラケットの取付板を配設し、該取付板の孔よりインサートへボルトを挿通して該ブラケットを仮止めし、その後、ＰＣ鋼棒を垂直部材の反対側の取付板と連結引張して固定することによりブラケットを該垂直部材に固定し、該ブラケットを建物の梁と一体とし、該梁或いはブラケット上に架台を固定したタワークレーンの支持装置の構築方法を特徴とする。
【００１５】
また、建物の躯体となる垂直部材は、柱部材又は壁部材であるタワークレーンの支持装置の構築方法を特徴とする。
【発明の効果】
【００１６】
本発明は、タワークレーンの架台を支持するブラケットを建物の躯体となる柱部材或いは耐力壁等の垂直部材に取り付けるので、タワークレーンの荷重を該垂直部材で支持することが可能となり、従来の梁支持による梁の補強が不要となった。また、大荷重の支持も可能となった。
【００１７】
更に、荷重の支持が、ＰＣ鋼棒を利用した取付プレートと垂直部材との摩擦力で行うことができ、従来のボルトに集中荷重がかかり、該ボルト周辺のコンクリート面を破壊することがなく、この点からも大荷重を支持することが可能となった。
【００１８】
また、コッターのせん断を利用して荷重を支持することができ、上記摩擦力による支持と併用することが可能となり、荷重の支持を分散させることができ、この点からも大荷重を支持することが可能となった。
【００１９】
更に、摩擦力による支持、摩擦力とコッターによる支持に加え、ボルトのせん断力による支持も併用することが可能であり、荷重支持の分散を可能とし、この点からも大荷重の支持を可能とした。
【００２０】
また、梁と垂直部材とにより荷重支持する場合、梁端部直下の垂直部材にブラケットを取着することにより、タワークレーンの荷重を梁から垂直部材へ容易に伝えることが可能となった。
【００２１】
更に、垂直部材であるコア壁にブラケットを取着する場合、該コア壁の主筋の隙間に緊張材を配置することができるので、躯体の強度を確保することができ、また、ダメ工事も少なくすることが可能となった。
【発明を実施するための最良の形態】
【００２２】
図１は、本発明のタワークレーンを建物に設置したタワークレーンの支持装置の正面図を示している。図２以下の図面にも示すように建物の垂直部材となる柱部材や壁部材等に取着したブラケット間に架設した仮設受け梁等により架台を構成し、該架台上にタワークレーンを固定することになる。
【実施例１】
【００２３】
タワークレーン１は、垂直部材（本実施例では柱２とする）に固定したブラケット３にその架台４が支持される。該ブラケット３は、ＰＣ鋼棒５により柱２に取着される。該ＰＣ鋼棒５は、図２（ａ）、（ｂ）に示すようにブラケット３の取付板６の孔より柱２を貫通して反対側の取付板へと突出させ、当該部分で固定具８により強固に固定する。
【００２４】
図２（ｃ）は、ブラケット９の取着を上記同様ＰＣ鋼棒１０により行なっているが、ブラケット９が大きい場合、該ＰＣ鋼棒１０は、柱１１の対向する外側壁間に跨るようにしてブラケット９間或いはブラケット９と取付板間に架設して固定する。
上記の場合、ＰＣ鋼棒１０を切断することなくブラケット９を撤去することが可能となる。
【００２５】
図２（ｄ）は、ブラケット３、９上に架台４を載置した状態を示す正面図、同（ｅ）は側面図を示している。ブラケット３、９間に架け渡される仮設受け梁は、同様のものを適宜間隔を隔てて適数個配設する。該仮設受け梁４ａ上には、該仮設受け梁４ａと直交する方向に他の仮設受け梁４ｂを架け渡し、該仮設受け梁４ａ、４ｂにより井型に構築して架台４とされる。該井型に形成された架台４上にタワークレーン１の基部が固定されることになる。
【実施例２】
【００２６】
図３は、躯体となるスレンダーな梁１２の直下位置に仮設受け梁１３ａ、１３ｂよりなる架台１３を設け、該仮設受け梁１３ａを柱１４に固定したブラケット１５により支持した実施例を示している。
【００２７】
該ブラケット１５は、実施例１と同様、ＰＣ鋼棒１６により柱１４に取着されるが、該ＰＣ鋼棒１６は、ブラケット１５の取付板１７の孔より柱１４を貫通して反対側で固定される。実施例２では、１部のＰＣ鋼棒１０は柱１４の外側壁に沿って反対側の取付板に固定されている。
【００２８】
図３（ｃ）は、実施例２の正面図、同（ｄ）は側面図を示している。
柱１４に取着されたブラケット１５間に仮設受け梁１３ａを架け渡し、該ブラケット１５間に架け渡された仮設受け梁１３ａは、同様のものを適宜間隔を隔てて適数個配設する。該仮設受け梁１３ａの上方の梁１２の上方位置に他の仮設受け梁１３ｂを該仮設受け梁１３ａ間に跨るようにして構成している。該ブラケット１５間に架け渡された仮設受け梁１３ａは、同様のものを適宜間隔を隔てて適数個配設し、該仮設受け梁１３ａ上には、該仮設受け梁１３ａと直交する方向に他の仮設受け梁１３ｂを架け渡し、該仮設受け梁１３ａ、１３ｂにより井型に構築して架台１３とされる。該仮設受け梁１３ａ、１３ｂ間は、上記間隔を保持するスペーサ１８を介し、スレンダーな梁１２を含め或いは含めることなく両者間をＰＣ鋼棒１９により強固に連結する。
上記構成により、架台１３ｂ上に配設されるタワークレーンの荷重は、梁を介し或いは介することなく仮設受け梁１３ａに伝わり、ブラケット１５を通じ柱１４により支持されることになる。
【実施例３】
【００２９】
図４は、コアを形成するコア壁２０にブラケット２１を固定した実施例である。
該ブラケット２１は、実施例１、２と同様、ＰＣ鋼棒２２によりコア壁２０の壁表面の一部に取着されるが、該ＰＣ鋼棒２２は、ブラケット２１の取付板２３の孔よりコア壁２０を貫通して反対側の取付板２４に固定される。
【００３０】
図４（ｃ）は、実施例３の側面図を示している。
コア壁２０に取着されたブラケット２１間に仮設受け梁２５ａを架け渡し、該ブラケット２１間に架け渡された仮設受け梁２５ａは、同様のものを適宜間隔を隔てて適数個配設する。該仮設受け梁２５ａに他の仮設受け梁２５ｂを該仮設受け梁２５ａ間に跨るようにして直交方向に架設している。該仮設受け梁２５ａと他の仮設受け梁２５ｂとにより井型に構築して架台２５とされる。
【実施例４】
【００３１】
図５は、ブラケット２６の取着手段の実施例である。ブラケット２６は、予め柱２７に埋設したインサート２８とボルト２９とにより柱２７に仮止めし、その後、ＰＣ鋼棒３０により柱２７に取着されるが、該ＰＣ鋼棒３０は、ブラケット２６の取付板３１の孔より柱２７を貫通して反対側の取付板３２に強固に固定される。
ブラケット２６が予め柱２７に仮り止めされているので、重量のあるブラケット２６を一定位置に保持しながらのＰＣ鋼棒３０の挿入や締め付け作業が開放されることになる。
【実施例５】
【００３２】
図６は、ブラケット３３と架台３４との位置関係を示した実施例である。ブラケット３３は、上記実施例同様、ＰＣ鋼棒３５により柱部材或いは壁部材等の垂直部材３６に固定される。
該垂直部材３６に固定されたブラケット３３の側端部３７に架台３４となる仮設受け梁３４ａの側端部３８を突き付け配置し、ウエブ及びフランジ部分に連結用補強プレート３９、４０を配設固定し、該ブラケット３３と仮設受け梁３４ａとを連結一体化している。
【図面の簡単な説明】
【００３３】
【図１】本発明のタワークレーン支持装置の正面図である。
【図２（ａ）】本発明のタワークレーン支持装置のブラケット支持部の正面図である。
【図２（ｂ）】本発明のタワークレーン支持装置のブラケット支持部の側面図である。
【図２（ｃ）】本発明のタワークレーン支持装置のブラケット支持部の平断面図である。
【図２（ｄ）】本発明のタワークレーン支持装置の全体を示す平面図である。
【図２（ｅ）】本発明のタワークレーン支持装置の全体を示す正面図である。
【図３（ａ）】本発明のタワークレーン支持装置のブラケット支持部の他の実施例の正面図である。
【図３（ｂ）】本発明のタワークレーン支持装置のブラケット支持部の他の実施例の側面図である。
【図３（ｃ）】本発明のタワークレーン支持装置の全体を示す他の実施例の平面図である。
【図３（ｄ）】本発明のタワークレーン支持装置の全体を示す他の実施例の正面図である。
【図４（ａ）】本発明のタワークレーン支持装置のブラケット支持部の他の実施例の正面図である。
【図４（ｂ）】本発明のタワークレーン支持装置のブラケット支持部の他の実施例の側面図である。
【図４（ｃ）】本発明のタワークレーン支持装置の全体を示す他の実施例の正面図である。
【図５（ａ）】本発明のタワークレーン支持装置のブラケット支持部の他の実施例の正面図である。
【図５（ｂ）】本発明のタワークレーン支持装置のブラケット支持部の他の実施例の側面図である。
【図６（ａ）】本発明のタワークレーン支持装置のブラケット支持部の他の実施例の正面図である。
【図６（ｂ）】本発明のタワークレーン支持装置のブラケット支持部の他の実施例の側面図である。
【符号の説明】
【００３４】
１                                                    タワークレーン
２、１１、１４、２７                                  柱
３、９、１５、２１、２６、３３                        ブラケット
４、１３、２５、３４                                  架台
４ａ、４ｂ、１３ａ、１３ｂ、２５ａ、２５ｂ、３４ａ    仮設受け梁
５、１０、１６、１９、２２、３０、３５                ＰＣ鋼棒
６、７、１７、２３、３１、３２                        取付板
８                                                    固定具
１２                                                    梁
１８                                                    スペーサ
２０                                                    コア壁
２８                                                    インサート
２９                                                    ボルト
３６                                                    垂直部材
３７                                                    ブラケット端部
３８                                                    仮設受け梁端部
３９、４０                                              補強プレート
【図１】
2005272116.tif 000003
【図２（ａ）】
2005272116.tif 000004
【図２（ｂ）】
2005272116.tif 000005
【図２（ｃ）】
2005272116.tif 000006
【図２（ｄ）】
2005272116.tif 000007
【図２（ｅ）】
2005272116.tif 000008
【図３（ａ）】
2005272116.tif 000009
【図３（ｂ）】
2005272116.tif 000010
【図３（ｃ）】
2005272116.tif 000011
【図３（ｄ）】
2005272116.tif 000012
【図４（ａ）】
2005272116.tif 000013
【図４（ｂ）】
2005272116.tif 000014
【図４（ｃ）】
2005272116.tif 000015
【図５（ａ）】
2005272116.tif 000016
【図５（ｂ）】
2005272116.tif 000017
【図６（ａ）】
2005272116.tif 000018
【図６（ｂ）】
2005272116.tif 000019